(57)【要約】【課題】複数の施設が存在するエリアに来た来場者に対し、目的施設への移動経路の情報とともに時間帯に応じて異なる有益な情報を提供すること。【解決手段】経路特定部４ｃは、地図の情報、現在地の情報および施設情報に基づいて前記現在地から目的施設までの移動経路および所要時間を特定する。時間帯特定部４ｄは、現在時刻および前記所要時間に応じてユーザーの滞在時間帯を特定する。紹介施設特定部４ｅは、複数の施設から、属性が前記滞在時間帯と重複する時間帯に予め対応付けられているとともに、前記移動経路を基準にして予め定められた範囲条件を満たす範囲内に位置する紹介施設を特定する。データ生成部４ｋは、前記移動経路の情報、前記目的施設の情報および前記紹介施設の情報を含む案内画像を表す前記画像データを生成する。【選択図】図２
2019132975.tif 000002
【特許請求の範囲】
【請求項１】
ユーザーによる操作を受け付ける操作装置と、
前記操作装置に対する操作に対応する画面を表示する表示装置と、
画像データに基づく画像をシートに形成する印刷処理装置と、
地図の情報と現在地の情報と複数の施設の所在地および属性の情報を含む施設情報とを取得可能な情報取得部と、
前記操作装置に対する操作に従って、前記操作に対応する画面を前記表示装置に表示させつつ前記複数の施設から少なくとも１つの目的施設を選択する施設選択部と、
前記地図の情報、前記現在地の情報および前記施設情報に基づいて前記現在地から前記目的施設までの移動経路および所要時間を特定する経路特定部と、
現在時刻および前記所要時間に応じて前記ユーザーの滞在時間帯を特定する時間帯特定部と、
前記複数の施設から、前記属性が前記滞在時間帯と重複する時間帯に予め対応付けられているとともに、前記移動経路を基準にして予め定められた範囲条件を満たす範囲内に位置する紹介施設を特定する紹介施設特定部と、
前記移動経路の情報、前記目的施設の情報および前記紹介施設の情報を含む案内画像を表す前記画像データを生成するデータ生成部と、を備える画像処理装置。
【請求項２】
前記滞在時間帯に対応する天気予報の情報が予め定められた天気の変化を示す場合に、変化後の前記天気予報に対応する天気関連情報を特定する天気関連情報特定部をさらに備え、
前記情報取得部は、前記滞在時間帯に対応する前記天気予報の情報を取得可能であり、
前記データ生成部は、前記天気関連情報をさらに含む前記案内画像を表す前記画像データを生成可能である、請求項１に記載の画像処理装置。
【請求項３】
原稿から画像を読み取る画像読取装置と、
前記施設選択部により前記目的施設が選択される過程で、前記操作装置に対する操作に応じて前記表示装置に表示される画面を特定する画面特定情報を予め定められた形態で表すコード画像を生成するコード生成部と、
前記画像読取装置による読取画像から前記コード画像を抽出し、前記コード画像が表す前記画面特定情報を特定するコード認識部と、をさらに備え、
前記施設選択部は、前記コード認識部により特定された前記画面特定情報に応じた画面を前記表示装置に表示させつつ前記目的施設を選択可能である、請求項１または請求項２に記載の画像処理装置。
【請求項４】
前記複数の施設から、前記ユーザーが所持する携帯端末の移動実績の情報が、前記ユーザーが立ち寄っていないことを示す施設であり、かつ、前記目的施設との間で前記属性が予め定められた関連条件を満たす施設である未立寄施設を特定する未立寄施設特定部をさらに備え、
前記情報取得部は、前記携帯端末の前記移動実績の情報をさらに取得可能であり、
前記データ生成部は、前記未立寄施設の情報をさらに含む前記案内画像を表す前記画像データを生成可能である、請求項１から請求項３のいずれか１項に記載の画像処理装置。
【請求項５】
前記施設情報についての変更履歴の情報と前記ユーザーが所持する携帯端末の移動実績の情報とに基づいて、前記施設情報から前記ユーザーの直近の来場日より後に変更があった施設に関する変更施設情報を特定する変更施設特定部をさらに備え、
前記情報取得部は、前記変更履歴の情報および前記携帯端末の前記移動実績の情報をさらに取得可能であり、
前記データ生成部は、前記変更施設情報をさらに含む前記案内画像を表す前記画像データを生成可能である、請求項１から請求項４のいずれか１項に記載の画像処理装置。
【発明の詳細な説明】
【技術分野】
【０００１】
本発明は、目的施設への移動経路の情報を含む画像を出力可能な画像処理装置に関する。
【背景技術】
【０００２】
一般に、複写機または複合機などの画像処理装置は、シートに画像を形成する印刷処理装置を備える。
【０００３】
また、前記画像処理装置が、展示会への招待状に埋め込まれた情報に基づいてデータベースを検索することによって目的の展示場所を特定し、特定した前記展示場所への経路を表す案内図の画像を出力することが知られている（例えば、特許文献１参照）。
【先行技術文献】
【特許文献】
【０００４】
【特許文献１】特開２００４−３３３７７１号公報
【発明の概要】
【発明が解決しようとする課題】
【０００５】
ところで、ショッピングセンター、レジャーランドまたは観光地などの集客場所において、来場客が、現在地から１つ以上の目的の施設までの移動経路を知りたい場合がある。前記集客場所は、例えば店舗、アトラクション施設または観光施設などの複数の施設を含む。
【０００６】
また、前記移動経路の情報とともに他の有益な情報を前記来場客に提供することができれば好適である。前記来場客にとって有益な情報は、前記来場客が前記目的の施設へ向けて移動する時間帯に応じて異なる場合がある。
【０００７】
例えば、昼食を提供する店舗の情報は、正午に近い時間帯では前記来場客にとって有益である場合が多いが、早朝または夜間では有益でない場合が多い。
【０００８】
本発明の目的は、複数の施設が存在するエリアに来た来場者に対し、目的施設への移動経路の情報とともに時間帯に応じて異なる有益な情報を提供することができる画像処理装置を提供することにある。
【課題を解決するための手段】
【０００９】
本発明の一の局面に係る画像処理装置は、操作装置と、表示装置と、印刷処理装置と、情報取得部と、施設選択部と、経路特定部と、時間帯特定部と、紹介施設特定部と、データ生成部と、を備える。前記操作装置は、ユーザーによる操作を受け付ける。前記表示装置は、前記操作装置に対する操作に対応する画面を表示する。前記印刷処理装置は、画像データに基づく画像をシートに形成する。前記情報取得部は、地図の情報と現在地の情報と複数の施設の所在地および属性の情報を含む施設情報とを取得可能である。前記施設選択部は、前記操作装置に対する操作に従って、前記操作に対応する画面を前記表示装置に表示させつつ前記複数の施設から少なくとも１つの目的施設を選択する。前記経路特定部は、前記地図の情報、前記現在地の情報および前記施設情報に基づいて前記現在地から前記目的施設までの移動経路および所要時間を特定する。前記時間帯特定部は、現在時刻および前記所要時間に応じて前記ユーザーの滞在時間帯を特定する。前記紹介施設特定部は、前記複数の施設から、前記属性が前記滞在時間帯と重複する時間帯に予め対応付けられているとともに、前記移動経路を基準にして予め定められた範囲条件を満たす範囲内に位置する紹介施設を特定する。前記データ生成部は、前記移動経路の情報、前記目的施設の情報および前記紹介施設の情報を含む案内画像を表す前記画像データを生成する。
【発明の効果】
【００１０】
本発明によれば複数の施設が存在するエリアに来た来場者に対し、目的施設への移動経路の情報とともに時間帯に応じて異なる有益な情報を提供することができる画像処理装置を提供することが可能になる。
【図面の簡単な説明】
【００１１】
【図１】図１は、実施形態に係る画像処理装置を含む画像処理システムのブロック図である。
【図２】図２は、実施形態に係る画像処理装置のブロック図である。
【図３】図３は、実施形態に係る画像処理装置における案内画像出力処理の手順の一例を示すフローチャートである。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［画像処理システム］
図１に示されるように、実施形態に係る画像処理装置１０は、画像処理システム１００の一部を構成している。画像処理システム１００は、ネットワーク８０１を通じてサーバー７と通信可能な複数の画像処理装置１０を含む。
【００１４】
画像処理システム１００において、複数の画像処理装置１０は、ショッピングセンター、展示会会場、レジャーランドまたは観光地などの特定の集客場所における複数の箇所に配置される。前記集客場所は、例えば店舗、アトラクション施設または観光施設などの複数の施設を含む。
【００１５】
サーバー７は、ネットワーク８０１を通じて画像処理装置１０各々へ各種の情報を提供可能な情報処理装置である。サーバー７は、コンピューター読み取り可能な不揮発性の二次記憶装置７ａを備える。
【００１６】
本実施形態において、画像処理装置１０は、サーバー７と通信可能であるとともに、前記集客場所に来ている来場客が所持する携帯端末８とも通信可能である。携帯端末は、スマートフォンまたはタブレットコンピューターなどの可搬型の情報処理装置である。
【００１７】
［画像処理装置１０の構成］
画像処理装置１０は、原稿９１から画像を読み取る読取処理およびシート９２に画像を形成する印刷処理などの画像処理を実行可能な装置である（図２参照）。
【００１８】
図２に示されるように、画像処理装置１０は、画像読取装置１、印刷処理装置２、ユーザーインターフェイスユニット３、ＣＰＵ（Central Processing Unit）４、ＲＡＭ（Random Access Memory）４１、二次記憶装置５、第１通信装置６ａおよび第２通信装置６ｂなどを備える。
【００１９】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、操作装置３ａに対する操作に対応する画面を表示可能な装置であり、例えば、液晶表示パネルなどの表示パネルを含む。
【００２０】
第１通信装置６ａは、サーバー７との間でネットワーク８０１を通じて通信を行う通信インターフェイスデバイスである。ＣＰＵ４は、サーバー７との間のデータの送信および受信の全てを、第１通信装置６ａを通じて行う。例えば、第１通信装置６ａが、ＩＥＥＥ８０２．３などの通信規格に準拠した通信を実行する。
【００２１】
第２通信装置６ｂは、前記来場者が所持する携帯端末８との間で無線通信媒体８０２を通じて無線通信を行う通信インターフェイスデバイスである（図１参照）。例えば、第２通信装置６ｂが、Ｂｌｕｅｔｏｏｔｈ（登録商標）またはＷｉｆｉ（登録商標）などの通信規格に準拠した無線通信を実行する。
【００２２】
二次記憶装置５は、コンピューター読み取り可能な不揮発性の記憶装置である。二次記憶装置５は、プログラムおよび各種のデータを記憶可能である。例えば、フラッシュメモリーまたはＥＥＰＲＯＭ（Electrically Erasable Programmable Read Only Memory）などが、二次記憶装置５として採用されることが考えられる。
【００２３】
ＲＡＭ４１は、ＣＰＵ４が実行する前記プログラムおよびＣＰＵ４が前記プログラムを実行する過程で出力および参照するデータを一次記憶する揮発性の記憶装置である。ＲＡＭ４１は、二次記憶装置５よりも高速なデータアクセスが可能な記憶装置である。
【００２４】
画像読取装置１は、原稿９１から画像を読み取る前記読取処理を実行する。画像読取装置１は、光源１ａ、走査機構１ｂ、イメージセンサー１ｃおよびＡＦＥ（Analog Front End）１ｄなどを備える。
【００２５】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。
【００２６】
ＡＦＥ（１ｄ）は、前記画像信号をデジタルの画像データへ変換する。以下の説明において、画像読取装置１の前記読取処理によって原稿９１から読み取られた画像のことを読取画像と称する。
【００２７】
印刷処理装置２は、電子写真方式またはインクジェット方式などの予め定められた方式で、画像データに基づく前記印刷処理を実行する。
【００２８】
例えば、印刷処理装置２が電子写真方式で前記印刷処理を実行する装置である場合、印刷処理装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００２９】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００３０】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００３１】
ＣＰＵ４は、各種の演算、データ処理および画像処理装置１０が備える各種の電気機器の制御を実行するプロセッサーの一例である。ＣＰＵ４は、画像読取装置１、印刷処理装置２、ユーザーインターフェイスユニット３、第１通信装置６ａおよび第２通信装置６ｂとの間でデータおよび制御信号の受け渡しが可能である。
【００３２】
なお、ＤＳＰ（Digital Signal Processor）などの他のプロセッサーが、ＣＰＵ４の一部または全部の代わりに採用されることも考えられる。
【００３３】
ところで、前記集客場所において、前記来場客が、現在地から１つ以上の目的施設までの移動経路を知りたい場合がある。
【００３４】
また、前記移動経路の情報とともに他の有益な情報を前記来場客に提供することができれば好適である。前記来場客にとって有益な情報は、前記来場客が前記目的施設へ向けて移動する時間帯に応じて異なる場合がある。
【００３５】
例えば、昼食を提供する店舗の情報は、正午に近い時間帯では前記来場客にとって有益である場合が多いが、早朝または夜間では有益でない場合が多い。
【００３６】
画像処理装置１０において、ＣＰＵ４は、後述する案内画像出力処理を実行可能である。これにより、画像処理装置１０は、前記複数の施設が存在する前記集客場所に来た前記来場者に対し、前記目的施設への移動経路の情報とともに時間帯に応じて異なる有益な情報を提供することができる。
【００３７】
ＣＰＵ４は、二次記憶装置５に記憶されたプログラムを実行することにより、情報取得部４ａ、施設選択部４ｂ、経路特定部４ｃ、時間帯特定部４ｄ、紹介施設特定部４ｅ、天気関連情報特定部４ｆ、未立寄施設特定部４ｇ、変更施設特定部４ｈ、コード生成部４ｉ、コード認識部４ｊおよびデータ生成部４ｋなどとして動作する。
【００３８】
［案内画像出力処理］
ＣＰＵ４の情報取得部４ａは、予め定められた開始イベントが発生したときに、前記案内画像出力処理を開始する。例えば、前記開始イベントは、操作装置３ａに対して予め定められた開始操作が行われることなどである。
【００３９】
以下、図３に示されるフローチャートを参照しつつ、前記案内画像出力処理の手順の一例について説明する。以下の説明において、Ｓ１，Ｓ２，…は、前記案内画像出力処理における複数の工程の識別符号を表す。
【００４０】
＜工程Ｓ１＞
前記案内画像出力処理において、情報取得部４ａが、第１通信装置６ａを通じて、サーバー７から各種の情報を取得する。情報取得部４ａがサーバー７から取得する情報は、サーバー７の二次記憶装置７ａに予め記憶されている。
【００４１】
本実施形態において、情報取得部４ａは、現在地情報Ｄ１、地図情報Ｄ２、施設情報Ｄ３、天気予報情報Ｄ４および変更履歴情報Ｄ５をサーバー７から取得する（図２参照）。
【００４２】
現在地情報Ｄ１は、画像処理装置１０が配置されている位置を表す。即ち、現在地情報Ｄ１は、画像処理装置１０を操作する前記来場者の現在地を表す。
【００４３】
なお、現在地情報Ｄ１が、予め二次記憶装置５に記憶されていることも考えられる。この場合、情報取得部４ａは、二次記憶装置５から現在地情報Ｄ１を取得する。
【００４４】
地図情報Ｄ２は、前記集客場所における前記複数の施設へのアクセス経路の位置の情報および前記アクセス経路を含むエリアを表す絵図の情報を含む。
【００４５】
施設情報Ｄ３は、複数の施設の所在地の情報および施設属性の情報を含む。前記施設属性は、店舗の種類、営業時間および広告メッセージなどである。また、前記施設属性における前記店舗の種類が飲食店である場合、前記施設属性の情報が、朝食提供の有無、昼食提供の有無および夕食提供の有無の情報を含むことも考えられる。
【００４６】
天気予報情報Ｄ４は、画像処理装置１０が配置されている地域における現在以降の予め定められた時間分先までの時間帯ごとの天気予報の情報である。例えば、天気予報情報Ｄ４が、時間帯ごとの降雨確率、降雨量、降雪確率、降雪量、気温および湿度のうちの１つまたは複数の情報を含むことが考えられる。
【００４７】
変更履歴情報Ｄ５は、施設情報Ｄ３の変更履歴の情報である。例えば、変更履歴情報Ｄ５が、前記施設の入れ替わりが発生した位置および日時の情報と、入れ替わる前の前記施設に対応する施設情報Ｄ３である旧施設情報とを含むことが考えられる。
【００４８】
＜工程Ｓ２＞
さらに、情報取得部４ａは、第２通信装置６ｂに前記来場者の携帯端末８への通信接続処理を実行させる。そして、携帯端末８との通信接続が成立した場合に、情報取得部４ａは処理を工程Ｓ３へ移行させ、そうでない場合に処理を工程Ｓ５へ移行させる。
【００４９】
本実施形態において、前記通信接続処理によって第２通信装置６ｂと通信可能になった携帯端末８を所持する前記来場者が、画像処理装置１０のユーザーである。
【００５０】
＜工程Ｓ３＞
工程Ｓ３において、情報取得部４ａは、第２通信装置６ｂを通じて、前記ユーザーが所持する携帯端末８から移動実績情報Ｄ６を取得する。その後、情報取得部４ａは、処理を工程Ｓ４へ移行させる。
【００５１】
携帯端末８がＧＰＳ（Global Positioning System）装置８ａおよび二次記憶装置８ｂを備えている場合がある（図１参照）。この場合、携帯端末８は、携帯端末８の移動実績を表す移動実績情報Ｄ６を二次記憶装置８ｂに記憶させることができる。
【００５２】
移動実績情報Ｄ６は、複数の日時の情報と、前記複数の日時の情報にする複数の位置の情報とを含む。移動実績情報Ｄ６は、前記ユーザーの移動実績を表す情報でもある。
【００５３】
工程Ｓ３において、情報取得部４ａは、第２通信装置６ｂと通信可能な携帯端末８に予め定められた情報要求コマンドを送信し、携帯端末８から移動実績情報Ｄ６を受信する。
【００５４】
＜工程Ｓ４＞
工程Ｓ４において、変更施設特定部４ｈが、施設情報Ｄ３についての変更履歴情報Ｄ５と前記ユーザーが所持する携帯端末８の移動実績情報Ｄ６とに基づいて、変更施設情報を特定する。
【００５５】
前記変更施設情報は、施設情報Ｄ３のうち前記ユーザーの直近の来場日より後に変更があった施設に関する情報である。
【００５６】
例えば、変更施設特定部４ｈは、前日以前の移動実績情報Ｄ６が、前記複数の施設のいずれかの位置に前記ユーザーが予め定められた時間以上継続して滞在したことを示す来場情報を含むか否かを判定する。そして、変更施設特定部４ｈは、前日以前の移動実績情報Ｄ６が前記来場情報を含む場合に、前記来場情報に対応する日のうち最も今日に近い日を前記ユーザーの直近の来場日であると判定する。
【００５７】
変更施設特定部４ｈは、処理を工程Ｓ４から工程Ｓ５へ移行させる。
【００５８】
＜工程Ｓ５＞
工程Ｓ５において、情報取得部４ａが、操作装置３ａに対して予め定めら得た読み取り操作が行われたか否かを判定する。前記読み取り操作は、前記読取処理の開始イベントとなる操作である。
【００５９】
そして、情報取得部４ａは、操作装置３ａに対する前記読み取り操作が行われたと判定した場合に、処理を工程Ｓ６へ移行させ、そうでない場合に処理を工程Ｓ８へ移行させる。
【００６０】
前記ユーザーは、前記集客場所における他の画像処理装置１０を操作したときに得られた案内紙を原稿９１として画像読取装置１にセットした上で、操作装置３ａに対して前記前記読み取り操作を行う。前記案内紙は、後述する工程Ｓ１５の印刷処理によって得られる印刷物である。
【００６１】
後述する工程Ｓ８において、少なくとも１つの目的施設が、操作装置３ａに対する操作に応じて前記複数の施設から選択される。その際、操作装置３ａに対する操作に応じた画面が、表示装置３ｂに表示される。
【００６２】
前記案内紙には、前記目的施設が選択される過程で表示装置３ｂに表示される画面を特定する画面特定情報を予め定められた形態で表すコード画像が形成される。例えば、前記コード画像が、ＱＲコード（登録商標）またはバーコードであることが考えられる。
【００６３】
なお、前記コード画像は、後述する工程Ｓ９においてコード生成部４ｉによって生成される。
【００６４】
＜工程Ｓ６＞
工程Ｓ６において、情報取得部４ａは、画像読取装置１に前記読取処理を実行させる。これにより、画像読取装置１は、前記案内紙から読み取られた画像を表す画像データを出力する。その後、情報取得部４ａは、処理を工程Ｓ７へ移行させる。
【００６５】
＜工程Ｓ７＞
工程Ｓ７において、コード認識部４ｊが、画像読取装置１による読取画像から前記コード画像を抽出し、前記コード画像が表す前記画面特定情報を特定する。その後、コード認識部４ｊは、処理を工程Ｓ８へ移行させる。
【００６６】
＜工程Ｓ８＞
工程Ｓ８において、施設選択部４ｂが、施設情報Ｄ３における前記複数の施設から少なくとも１つの前記目的施設を選択する。その後、施設選択部４ｂは、処理を工程Ｓ９へ移行させる。
【００６７】
具体的には、施設選択部４ｂは、前記ユーザーによる操作装置３ａに対する操作に従って、前記操作に対応する画面を表示装置３ｂに表示させつつ前記複数の施設から少なくとも１つの前記目的施設を選択する。
【００６８】
工程Ｓ８において表示装置３ｂに表示される画面は、例えば、前記複数の施設の位置および前記施設属性の情報を選択メニューとして含む画面である。
【００６９】
また、工程Ｓ７の処理が実行された場合、施設選択部４ｂは、コード認識部４ｊにより特定された前記画面特定情報に応じた画面を表示装置３ｂに表示させつつ前記目的施設を選択する。
【００７０】
前記画面特定情報に応じた画面が表示装置３ｂに表示されることにより、前記ユーザーは、ある画像処理装置１０で前記目的施設を選択するために行った操作の続きを、他の画像処理装置１０で行うことができる。
【００７１】
例えば、前記ユーザーが、ある画像処理装置１０に対する操作によって選択された前記目的施設で目的の商品またはサービスを購入できない場合がある。このような場合に、他の画像処理装置１０において類似の他の目的施設を探すための前記ユーザーの操作が簡略化される。
【００７２】
＜工程Ｓ９＞
工程Ｓ９において、コード生成部４ｉが、前記画面特定情報を予め定められた形態で表す前記コード画像を生成する。その後、コード生成部４ｉは、処理を工程Ｓ１０へ移行させる。
【００７３】
前述したように、前記画面特定情報は、工程Ｓ８において施設選択部４ｂにより前記目的施設が選択される過程で、操作装置３ａに対する操作に応じて表示装置３ｂに表示される画面を特定する情報である。
【００７４】
＜工程Ｓ１０＞
工程Ｓ１０において、経路特定部４ｃが、現在地情報Ｄ１、地図情報Ｄ２および施設情報Ｄ３に基づいて、前記現在地から前記目的施設までの移動経路および所要時間を特定する。その後、経路特定部４ｃは、処理を工程Ｓ１１へ移行させる。
【００７５】
例えば、工程Ｓ８において１つの前記目的施設が選択された場合、経路特定部４ｃは、前記現在地から前記目的施設に至る複数の候補経路を地図情報Ｄ２から抽出し、それら候補経路のうち最短の経路を前記移動経路として特定する。
【００７６】
また、工程Ｓ８において複数の前記目的施設が選択された場合、経路特定部４ｃは、前記現在地から複数の前記目的施設を経由する複数の候補経路を地図情報Ｄ２から抽出し、それら候補経路のうち最短の経路を前記移動経路として特定する。
【００７７】
また、経路特定部４ｃは、予め定められた所要時間導出ルールに従って、前記移動経路の長さに応じた前記所要時間を導出する。
【００７８】
例えば、経路特定部４ｃが、経路移動時間と乗り物待ち時間と途中滞在時間とを導出し、それら３つの時間を加算することによって前記所長時間を導出することが考えられる。
【００７９】
前記経路移動時間は、前記移動経路の長さを予め定められた移動速度で除算することにより得られる時間である。前記移動経路における、前記ユーザーが徒歩で移動することが想定される部分については、前記移動速度は予め定められた徒歩速度である。また、前記移動経路における、前記ユーザーが所定の乗り物に乗って移動することが想定される部分については、前記移動速度は、予め定められた前記乗り物の速度である。
【００８０】
前記乗り物待ち時間は、前記ユーザーが前記乗り物に乗るために必要と想定される待ち時間である。前記待ち時間が、予め定められた時間であることが考えられる。また、前記待ち時間が、来場者数に応じて算出される時間であることも考えられる。
【００８１】
前記来場者数は、前記来客場所の管理者または前記来客場所に設けられた装置によってカウントされ、サーバー７へ入力される。この場合、画像処理装置１０の情報取得部４ａが、サーバー７から前記来場者数を取得する。
【００８２】
なお、前記ユーザーが徒歩で移動することが想定される経路については、前記乗り物待ち時間はゼロである。
【００８３】
前記途中滞在時間は、工程Ｓ８において複数の前記目的施設が選択された場合に導出される。前記途中滞在時間は、複数の前記目的施設のうち、前記移動経路の終点に位置する１つの施設を除く残りの施設各々において、前記ユーザーが費やすことが想定される個別滞在時間の合計である。
【００８４】
例えば、前記個別滞在時間が、前記施設ごとに予め定められた時間であることが考えられる。また、前記個別滞在時間が、前記来場者数に応じて算出される時間であることも考えられる。
【００８５】
＜工程Ｓ１１＞
工程Ｓ１１において、時間帯特定部４ｄが、現在時刻および工程Ｓ１０で特定された前記所要時間に応じて前記ユーザーの滞在時間帯を特定する。前記滞在時間は、前記現在時刻から前記所要時間が経過するまでの時間帯である。その後、時間帯特定部４ｄは、処理を工程Ｓ１２へ移行させる。
【００８６】
例えば、ＣＰＵ４または不図示の時計回路が、前記現在時刻を計時することが考えられる。
【００８７】
＜工程Ｓ１２＞
工程Ｓ１２において、紹介施設特定部４ｅが、前記複数の施設から１つ以上の紹介施設を特定する処理を実行する。その後、紹介施設特定部４ｅは、処理を工程Ｓ１３へ移行させる。
【００８８】
前記紹介施設は、施設情報Ｄ３における前記複数の施設のうち、前記施設属性が前記滞在時間帯と重複する時間帯に予め対応付けられているとともに、前記移動経路を基準にして予め定められた範囲条件を満たす範囲内に位置するものである。
【００８９】
例えば、７時から１１時までの第１時間帯が、朝食提供が有るという前記施設属性に予め対応付けられていることが考えられる。同様に、１１時から１４時までの第２時間帯が、昼食提供が有るという前記施設属性に予め対応付けられていることが考えられる。さらに、１７時から２０時までの第３時間帯が、夕食提供が有るという前記施設属性に予め対応付けられていることが考えられる。
【００９０】
例えば、紹介施設特定部４ｅは、前記滞在時間帯が前記第２時間帯と重複する場合、施設情報Ｄ３において昼食提供が有るという前記施設属性を含む施設を前記紹介施設の候補として選択する。
【００９１】
紹介施設特定部４ｅは、前記滞在時間帯に基づいて選択された前記紹介施設の候補のうち、前記移動経路を基準にして前記範囲条件を満たす範囲内に位置するものを前記紹介施設として特定する。
【００９２】
例えば、前記範囲条件が、前記移動経路を基準にした距離を規定する条件であることが考えられる。また、前記範囲条件が、前記移動経路から徒歩によって予め定められた時間内に移動できる範囲を規定する条件であることも考えられる。
【００９３】
＜工程Ｓ１３＞
工程Ｓ１３において、天気関連情報特定部４ｆが、前記滞在時間帯に対応する天気予報情報Ｄ４が予め定められた天気の変化を示す場合に、変化後の前記天気予報に対応する情報を、天気関連情報として特定する。その後、天気関連情報特定部４ｆは、処理を工程Ｓ１４へ移行させる。
【００９４】
例えば、前記滞在時間帯の天気予報情報Ｄ４が、晴れまたは曇りから雨または雪へ変化することを示す場合、またはその逆の変化を示す場合がある。そのような場合に、天気関連情報特定部４ｆが、天気予報情報Ｄ４における変化後の天候を、前記天気関連情報として特定することが考えられる。
【００９５】
また、前記滞在時間帯の天気予報情報Ｄ４が、予め定められた温度差を超える温度変化を示す場合も考えられる。この場合に、天気関連情報特定部４ｆが、天気予報情報Ｄ４における変化後の気温を、前記天気関連情報として特定することも考えられる。
【００９６】
＜工程Ｓ１４＞
工程Ｓ１４において、未立寄施設特定部４ｇが、前記ユーザーが所持する携帯端末８の移動実績情報Ｄ６に基づいて、前記複数の施設から未立寄施設を特定する。この工程Ｓ１４の処理は、工程Ｓ３の処理が実行された場合に実行される。その後、未立寄施設特定部４ｇは、処理を工程Ｓ１５へ移行させる。
【００９７】
前記未立寄施設は、前記ユーザーが所持する携帯端末８の移動実績情報Ｄ６が、前記ユーザーが立ち寄っていないことを示す施設であり、かつ、前記目的施設との間で前記施設属性が予め定められた関連条件を満たす施設である。
【００９８】
例えば、前記ユーザーが立ち寄っていない施設は、前記複数の施設のうち、今日の移動実績情報Ｄ６が、前記ユーザーが予め定められた時間以上継続して滞在したことを示さない位置に存在する施設である。
【００９９】
また、前記施設属性が、複数の大分類の属性と、前記大分類の属性をさらに分類する複数の小分類の属性とを含むことが考えられる。例えば、前記複数の大分類の属性の１つが飲食店であり、前記飲食店に対応する前記複数の小分類の属性が和食店、フランス料理店および中華料理店などを含むことが考えられる。
【０１００】
上記の場合、前記関連条件が、前記小分類の属性が同一であるという第１関連条件と、前記大分類の属性が同一であるという第２関連条件とを含むことが考えられる。この場合、前記第２関連条件が、前記目的施設との間で前記第１関連条件を満たす施設が存在しない場合にのみ適用されることが考えられる。
【０１０１】
＜工程Ｓ１５＞
工程Ｓ１５において、データ生成部４ｋが、案内画像データを生成する。その後、データ生成部４ｋは、処理を工程Ｓ１６へ移行させる。
【０１０２】
前記案内画像データは、前記ユーザーへ提供される情報を含む案内画像を表す画像データである。前記案内画像は、前記移動経路の情報、前記所要時間の情報、前記目的施設の情報、前記紹介施設の情報および前記コード画像を含む。
【０１０３】
例えば、前記案内画像が、シート９２のおもて面に形成される画像とシート９２のうら面に形成される画像とに区分されていることが考えられる。
【０１０４】
また、工程Ｓ１３において、前記天気関連情報が特定された場合、データ生成部４ｋは、前記天気関連情報をさらに含む前記案内画像を表す前記案内画像データを生成する。
【０１０５】
また、工程Ｓ１４において、前記未立寄施設が特定された場合、データ生成部４ｋは、前記未立寄施設の情報をさらに含む前記案内画像を表す前記案内画像データを生成する。
【０１０６】
また、工程Ｓ４において、前記変更施設情報が特定された場合、データ生成部４ｋは、前記変更施設情報をさらに含む前記案内画像を表す前記案内画像データを生成する。
【０１０７】
また、工程Ｓ４において、前記変更施設情報が特定された場合、データ生成部４ｋは、前記未立寄施設の情報をさらに含む前記案内画像を表す前記案内画像データを生成する。
【０１０８】
また、前記現在地と前記目的施設の位置とが、１つの建物における異なる階に位置することが考えられる。この場合、データ生成部４ｋが、複数の階の地図を合成した地図と前記移動経路とを表す前記案内画像データを生成することも考えられる。
【０１０９】
また、データ生成部４ｋが、前記目的施設以外の施設が位置する領域の一部または全部の情報が省略された地図を表す前記案内画像データを生成することも考えられる。
【０１１０】
＜工程Ｓ１６＞
工程Ｓ１６において、データ生成部４ｋは、前記案内画像データに基づく前記印刷処理を印刷処理装置２に実行させる。これにより、前記案内画像がシート９２に形成される。その後、データ生成部４ｋは、前記案内画像出力処理を終了させる。
【０１１１】
前記案内画像が形成されたシート９２が、他の画像処理装置１０において工程Ｓ６の前記画像読取処理の対象となる前記案内紙である。
【０１１２】
前記案内紙に形成される前記案内画像は、前記移動経路を含む。そのため、前記ユーザーは、前記案内紙を参照しつつ容易に前記目的施設へ移動することができる。
【０１１３】
さらに、前記案内紙の前記案内画像は、前記紹介施設の情報を含む。そのため、前記案内紙は、複数の施設が存在する前記集客場所に来た前記来場者に対し、前記滞在時間帯に応じて異なる有益な情報を提供する。
【０１１４】
さらに、前記案内画像が前記コード画像を含み、コード認識部４ｊが、画像読取装置１による読取画像から前記コード画像を抽出し、前記コード画像が表す前記画面特定情報を特定する。
【０１１５】
また、前記案内画像が前記天気関連情報を含む場合、前記来場者は、前記集客場所での滞在中の天気の変化に対して適切に準備することができる。
【０１１６】
また、前記案内画像が前記未立寄施設の情報を含む場合、前記来場者は、自らの操作により選択された前記目的施設と関連する他の施設の情報を容易に知ることができる。例えば、前記ユーザーが、前記目的施設で目的の商品またはサービスを購入できない場合がある。そのような場合に、前記目的施設と関連する前記未立寄施設の情報は、前記ユーザーが目的の商品またはサービスを提供する施設を探すための有益な情報である。
【０１１７】
また、前記案内画像が前記変更施設情報を含む場合、前記来場者は、それまで知らなかった新設の前記施設の情報を容易に知ることができる。
【０１１８】
[応用例]
以上に示された画像処理装置１０において、図３における工程Ｓ２〜Ｓ４の処理、工程Ｓ５〜Ｓ７，Ｓ９の処理、工程Ｓ１３の処理および工程Ｓ１４の処理のうちの一部または全部が省略されることも考えられる。
【符号の説明】
【０１１９】
１      ：画像読取装置
１ａ    ：光源
１ｂ    ：走査機構
１ｃ    ：イメージセンサー
２      ：印刷処理装置
２ａ    ：シート搬送機構
２ｂ    ：感光体
２ｃ    ：帯電装置
２ｄ    ：レーザースキャニングユニット
２ｅ    ：現像装置
２ｆ    ：転写装置
２ｇ    ：定着装置
３      ：ユーザーインターフェイスユニット
３ａ    ：操作装置
３ｂ    ：表示装置
４      ：ＣＰＵ
４ａ    ：情報取得部
４ｂ    ：施設選択部
４ｃ    ：経路特定部
４ｄ    ：時間帯特定部
４ｅ    ：紹介施設特定部
４ｆ    ：天気関連情報特定部
４ｇ    ：未立寄施設特定部
４ｈ    ：変更施設特定部
４ｉ    ：コード生成部
４ｊ    ：コード認識部
４ｋ    ：データ生成部
５      ：二次記憶装置
６ａ    ：第１通信装置
６ｂ    ：第２通信装置
７      ：サーバー
７ａ    ：二次記憶装置
８      ：携帯端末
８ａ    ：装置
８ｂ    ：二次記憶装置
１０    ：画像処理装置
４１    ：ＲＡＭ
９１    ：原稿
９２    ：シート
１００  ：画像処理システム
８０１  ：ネットワーク
８０２  ：無線通信媒体
Ｄ１    ：現在地情報
Ｄ２    ：地図情報
Ｄ３    ：施設情報
Ｄ４    ：天気予報情報
Ｄ５    ：変更履歴情報
Ｄ６    ：移動実績情報
【図１】
2019132975.tif 000003
【図２】
2019132975.tif 000004
【図３】
2019132975.tif 000005